(57)【特許請求の範囲】
【請求項１】
ベース部材と、光学素子が固定され、前記ベース部材に沿って位置調整されるホルダと、調整方向に直交する方向から前記ホルダを前記ベース部材に押圧し、前記ホルダを前記ベース部材に固定する押圧手段と、前記押圧手段が形成されるとともに、前記押圧手段の押圧方向に対して直交する方向にネジが螺合することにより前記ベース部材に固定される座金とを有することを特徴する光学素子の位置調整装置。
【請求項２】
前記押圧手段が、前記ホルダに当接する弾性部材であることを特徴とする請求項１に記載の光学素子の位置調整装置。
【請求項３】
基台部と、この基台部に対向して設けられる支持部と、前記基台部と前記支持部とを連設する連設部とを具備するベース部材と、光学素子が固定されるとともに、前記ベース部材の基台部の内側に取り付けられ、前記基台部に沿って位置調整されるホルダと、一端が前記ホルダに当接し、他端が前記支持部に当接するとともに、前記ホルダを前記基台部に付勢することにより、調整方向に直交する方向から前記ホルダを前記基台部に押圧し、ホルダをベース部材に固定する押圧バネとを有する光学素子の位置調整装置。
【請求項４】
前記ホルダに、前記押圧手段または押圧バネによる押圧に抗してホルダを前記調整方向に移動するための調整工具が嵌合する孔が形成されることを特徴とする請求項１〜３に記載の光学素子の位置調整装置。
【発明の詳細な説明】
【０００１】
【産業上の利用分野】
本発明は、光学式情報記録再生装置等に用いられる光学素子の位置ずれを補正し、その調整位置において固定する光学素子の位置調整装置に関する。
【０００２】
【従来の技術】
この種の従来装置として、図３に示す光学素子の位置調整装置がある。
受光素子１は、受光素子基板（ホルダ）２の上面に固定され、受光素子基板２はベース部材６に取り付けられる。各ネジ４は、座金５を介し、受光素子基板２に形成された長孔（図示せず）を貫通してベース部材６に螺合しており、時計方向に回転されることによって締め付けられ、反時計方向に回動されることによって緩められる。
【０００３】
受光素子基板２上には調整工具（図示せず）が嵌合する一対の孔７が形成される。受光素子基板２は、各ネジ４を緩めた状態で調整工具の先端を孔７に嵌合し、受光素子１が所定の位置に配置されるようにベース部材６上で位置決めされる。位置決め終了後、調整工具を孔７から外してから各ネジ４を時計方向に回動させて締め付けることにより受光素子基板２がベース部材６に固定される。
【０００４】
【発明が解決しようとする課題】
上述した従来の光学素子の位置調整装置では、調整後に各ネジ４を締め付ける際、ネジ４の回転力によって受光素子基板２が矢印Ｄの方向に回動し、ベース部材６上で位置ずれを生じて所定の位置に固定されないといった問題がある。
【０００５】
【発明の目的】
本発明は、上記課題に鑑みてなされたものであり、簡素な構成で調整方向に位置ずれが生ずることなくホルダをベース部材に固定でき、高い信頼性を有する光学素子の位置調整装置を提供することを目的としている。
【０００６】
【課題を解決するための手段】
本発明に係る光学素子の位置調整装置は、ベース部材と、光学素子が固定され、ベース部材に沿って位置調整されるホルダと、調整方向に直交する方向よりホルダをベース部材に押圧し、ホルダをベース部材に固定する押圧手段とを有することを特徴としている。
【０００７】
【実施例】
以下、図示実施例により本発明を説明する。
図１は、本発明の第１実施例に係る光学素子の位置調整装置を示す。
本実施例では受光素子基板（ホルダ）３０のベース部材２０の上面に沿った任意の方向（調整方向Ｑ）における移動によりホルダ３０上に固定された受光素子１０の位置が調整され、これにより光学部品の加工精度のばらつき等によって生ずる位置ずれが補正される。
【０００８】
受光素子（光学素子）１０は、受光素子基板３０上面のほぼ中央に固定され、受光素子基板３０は、固定ネジ４１とベース部材２０の間に介装された座金５０を介してベース部材２０に取り付けられる。
【０００９】
座金５０は、保持部５１と、この保持部５１の上下両端に形成された屈曲部５５とを有するコの字型に形成される。受光素子基板３０は、座金５０の保持部５１とベース部材２０の側面との間に形成された間隙に位置する。
【００１０】
固定ネジ４１は、座金５０の上下屈曲部５５にそれぞれ２箇所で螺合し、またベース部材２０の上面および下面に螺合している。これらの固定ネジ４１を締め付けることにより、座金５０がベース部材２０に固定される。
【００１１】
受光素子基板３０の受光素子１０近傍には、丸孔３５が、受光素子１０の対角位置に２箇所形成される。丸孔３５には、受光素子１０の位置調整をする際、図示しない位置決め装置の調整工具が嵌合される。位置決め装置は、例えば一対の丸棒状の調整工具が固定され、ベース部材２０の受光素子基板３０が取り付けられる面内およびこの面に垂直な方向に移動可能に構成された治具である。
受光素子１０および丸孔３５は、保持部５１に形成された開口部５２内に位置しており、この開口部５２は、受光素子１０が調整方向Ｑに移動可能な程度に充分に大きく形成される。
【００１２】
座金５０には弾性部材で形成された押圧部５６が形成される。押圧部５６は、開口部５２の側面より内方に向かって突設され、受光素子基板３０に向かって傾斜する傾斜部５７と、押圧部５６の先端に形成され、受光素子基板３０上面に当接する当接部５８とから構成される。
【００１３】
押圧部５６の当接部５８は、所定の圧力、すなわち、通常の使用において、受光素子基板３０が調整方向Ｑに移動することがない程度の圧力で、調整方向Ｑに直交する方向に沿って受光素子基板３０をベース部材２０側に押圧しており、これにより受光素子基板３０がベース部材２０に固定される。
【００１４】
受光素子１０の位置調整をする場合には、受光素子基板３０の丸孔３５に調整工具の先端を嵌合させ、押圧部５６による押圧力に抗して調整方向Ｑにおける任意の方向に受光素子基板３０を移動して受光素子１０の位置調整が行われる。調整を終了して受光素子基板３０から調整工具を外した後は、押圧部５６の押圧力により再び受光素子基板３０が調整位置においてベース部材２０に固定される。
【００１５】
このように第１実施例では、常時、調整方向Ｑに直交する方向から押圧部５６が受光素子基板３０をベース部材２０に押圧しており、簡素な構成で調整方向Ｑに位置ずれが生ずることなく受光素子基板３０をベース部材２０に固定できる。
【００１６】
図２は、本発明の第２実施例に係る光学素子の位置調整装置を示す。
なお、第１実施例と同一または類似する部材には同一参照符号を付し、重複説明を省略する。
【００１７】
ベース部材２０は、基台部２６と、基台部２６に対向する支持部２４と、基台部２６と支持部２４を連設する連設部２７を有する。受光素子（図示せず）は、受光素子基板３０上に設けられ、受光素子基板３０は、ベース部材２０の内側に取り付けられる。ベース部材２０には開口部２５が形成され、この開口部２５より受光素子基板３０上の受光素子および受光素子近傍に形成された調整工具が嵌合される一対の孔（図示せず）が外部に表出している。
【００１８】
押圧バネ６１は、受光素子基板３０と、ベース部材２０に形成された支持部２４の間に設けられ、受光素子基板３０を所定の圧力、すなわち、通常の使用において、受光素子基板３０が調整方向Ｑに移動することがない程度の圧力で、調整方向Ｑに直交する方向から受光素子基板３０をベース部材２０側に付勢している。これにより受光素子基板３０はベース部材２０に固定される。
【００１９】
位置調整の際には調整工具を受光素子１０近傍の一対の孔に嵌合させて所定方向に押圧することにより受光素子基板３０が調整方向Ｑ内の任意の位置に移動する。調整を終了して受光素子基板３０から調整工具を外した後は、押圧バネ６１による付勢力の作用により再び受光素子基板３０が調整位置においてベース部材２０に固定される。
【００２０】
なお、押圧バネ６１とベース部材２０の両接触面には、それぞれ潤滑コート処理が施されており、この接触位置では押圧バネ６１に対して調整方向Ｑにおいて力がほとんど作用しないようになっている。このため、受光素子基板３０の位置調整時において、押圧バネ６１の形状が調整方向Ｑに歪むことがなく、従って調整完了後も受光素子基板３０への付勢力を均一に保つことができる。
【００２１】
このような第２実施例においても、調整方向Ｑに直交する方向から所定の圧力で押圧バネ６１が受光素子基板３０をベース部材２０に押圧するよう構成したため、簡素な構成で調整方向Ｑに位置ずれが生ずることなく受光素子基板３０をベース部材２０に固定できる。
【００２２】
【発明の効果】
以上のように本発明によれば、所定の圧力で押圧部材が調整方向に直交する方向からホルダをベース部材に押圧するよう構成したため、簡素な構成で調整方向に位置ずれが生ずることなくホルダをベース部材に固定でき、高い信頼性を有する光学素子の位置調整装置を提供することができる。
【図面の簡単な説明】
【図１】本発明の第１実施例に係る光学素子の位置調整装置を示す斜視図である。
【図２】本発明の第２実施例に係る光学素子の位置調整装置を示す斜視図である。
【図３】従来の光学素子の位置調整装置を示す斜視図である。
【符号の説明】
１０  受光素子
２０  ベース部材
３０  受光素子基板
５６  押圧部
５８  当接部
６１  押圧バネ
【図１】
0003732872.tif 000002
【図２】
0003732872.tif 000003
【図３】
0003732872.tif 000004